(57)【要約】      （修正有）【課題】靴篦と孫の手と肩叩きの機能を兼ね備えた靴篦を提供する。【解決手段】幅方向に湾曲した細長い扁平棒状体を備え、前記扁平棒状体は長手方向に区分される靴篦部１０と肩叩き部２０と孫の手部３０と、前記靴篦部と前記肩叩き部とを連結する第１連結部４０と、前記肩叩き部と前記孫の手部とを連結する第２連結部５０と、を有し、前記靴篦部は、前記扁平棒状体の一方端部を含む位置に区分され、その厚みが該一方端部に向けて薄く形成され、前記孫の手部は、前記扁平棒状体の他方端部を含む位置に区分され、該他方端部が長手方向に折曲されて形成され、前記肩叩き部は、前記靴篦部と前記孫の手部との間に配置され、前記第１連結部および前記第２連結部の少なくとも一方は、幅方向の両側が弧状に切り欠かれて形成され、前記靴篦部、前記肩叩き部、前記孫の手部、前記第１連結部、前記第２連結部、が一体に形成されている。【選択図】図１Ａ
0003189480.tif 000002
【実用新案登録請求の範囲】
【請求項１】
幅方向に湾曲した細長い扁平棒状体を備え、
前記扁平棒状体は、
長手方向に区分される、靴篦部と肩叩き部と孫の手部と、
前記靴篦部と前記肩叩き部とを連結する第１連結部と、
前記肩叩き部と前記孫の手部とを連結する第２連結部と、を有し、
前記靴篦部は、前記扁平棒状体の一方端部を含む位置に区分され、その厚みが該一方端部に向けて薄く形成されており、
前記孫の手部は、前記扁平棒状体の他方端部を含む位置に区分され、該他方端部が長手方向に折曲されて形成されており、
前記肩叩き部は、前記靴篦部と前記孫の手部との間に配置されており、
前記第１連結部および前記第２連結部の少なくとも一方は、幅方向の両側が弧状に切り欠かれて形成されており、
前記靴篦部、前記肩叩き部、前記孫の手部、前記第１連結部、前記第２連結部、が一体に形成されている、靴篦。
【請求項２】
請求項１に記載の靴篦において、
前記肩叩き部の厚みは、前記靴篦部および前記孫の手部の厚みよりも、厚く形成されている、靴篦。
【請求項３】
請求項１または請求項２に記載の靴篦において、
前記孫の手部は、前記扁平棒状体の他方端部が長手方向で、かつ、幅方向に湾曲した頂点側に折曲されて形成されている、靴篦。
【請求項４】
請求項１乃至請求項３のいずれか一項に記載の靴篦において、
竹の切り出しおよび削りだしにより形成され、
前記第１連結部および前記第２連結部が竹の節部に位置する、靴篦。
【考案の詳細な説明】
【技術分野】
【０００１】
本考案は、靴篦に関し、特に孫の手を備える靴篦に関する。
【背景技術】
【０００２】
従来、孫の手と靴篦は、それぞれ種々のものがある。また、携帯用の靴篦として、幅方向を同一形状に湾曲し細長偏平棒状に形成した靴篦と孫の手をそれぞれの基端部にてピンで回転自在に連結したものが開示されている（例えば、特許文献１参照）。この携帯用靴篦は、孫の手と靴篦を一体にしたものである。
【０００３】
また、別の携帯用の靴篦として、幅方向を同一形状に湾曲し細長偏平棒状に形成した靴篦と孫の手をそれぞれの基端部にてピンで回転自在に連結し、身体たたき用弾性体を着脱自在に取付けられるように構成したものが開示されている（例えば、特許文献２参照）。
【先行技術文献】
【特許文献】
【０００４】
【特許文献１】特開２００２−３０６５５４号公報
【特許文献２】ＷＯ２００４／０９８３５６号公報
【考案の概要】
【考案が解決しようとする課題】
【０００５】
しかしながら、特許文献１の靴篦には、肩叩きのような身体をほぐす機能は付加されておらず、またそのような機能を持たせることが望まれていた。
【０００６】
一方、特許文献２の靴篦には、身体たたき用弾性体を着脱自在に取付けられるように構成されているが、例えば旅行時にこれを持参する際、靴篦本体に加えて身体たたき用弾性体も持参することとなり荷物が嵩張る。
【０００７】
さらに、特許文献１および特許文献２の靴篦は、靴篦部分と孫の手部分とが基端部にてピンで回転自在に連結されているので、特に孫の手の使用時に前後方向に荷重がかかり、連結部分に応力が集中するため、破損のおそれがある。また、複雑な構造であるため、従来の靴篦や孫の手と比較してコスト高となる。
【０００８】
本考案は、靴篦と孫の手と肩叩きの機能を兼ね備え、十分な強度を有し、コストを抑えた靴篦を提供することを目的としている。
【課題を解決するための手段】
【０００９】
本考案に係る一の態様の靴篦は、幅方向に湾曲した細長い扁平棒状体を備え、前記扁平棒状体は、長手方向に区分される、靴篦部と肩叩き部と孫の手部と、前記靴篦部と前記肩叩き部とを連結する第１連結部と、前記肩叩き部と前記孫の手部とを連結する第２連結部と、を有し、前記靴篦部は、前記扁平棒状体の一方端部を含む位置に区分され、その厚みが該一方端部に向けて薄く形成されており、前記孫の手部は、前記扁平棒状体の他方端部を含む位置に区分され、該他方端部が長手方向に折曲されて形成されており、前記肩叩き部は、前記靴篦部と前記孫の手部との間に配置されており、前記第１連結部および前記第２連結部の少なくとも一方は、幅方向の両側が弧状に切り欠かれて形成されており、前記靴篦部、前記肩叩き部、前記孫の手部、前記第１連結部、前記第２連結部、が一体に形成されている。
【００１０】
この構成によれば、靴篦と孫の手と肩叩きの機能を兼ね備えた靴篦となる。また、これらが一体に形成されているので、十分な強度を有し、またコストを抑えることができる。また、前記第１連結部および第２連結部の少なくとも一方は、幅方向の両側が弧状に切り欠かれて形成されているので、握りやすい。
【００１１】
また、上記態様の靴篦において、前記肩叩き部の厚みが、前記靴篦部および前記孫の手部の厚みよりも、厚く形成されていることが好ましい。この構成によれば、前記肩叩き部が、前記靴篦部および前記孫の手部よりも、厚く且つ重くなるため、肩叩きがしやすく、効果的である。
【００１２】
また、上記態様の靴篦において、前記孫の手部は、前記扁平棒状体の他方端部が長手方向で、かつ、幅方向に湾曲した頂点側に折曲されて形成されていることが好ましい。この構成によれば、この靴篦を地面に置く時、幅方向に湾曲した頂点側と反対側の面を下向きに置くことで、安定して地面に置くことができ、さらに、肩叩き部を竹踏みとして使用することもできる。
【００１３】
また、上記態様の靴篦において、竹の切り出しおよび削りだしにより形成され、前記第１連結部および前記第２連結部が竹の節部に位置する。この構成によれば、竹を利用して一体に作成できるので、強度を兼ね備え、コストも抑えられる。
【考案の効果】
【００１４】
本考案の靴篦によれば、靴篦と孫の手と肩叩きの機能を兼ね備え、十分な強度を有し、コストを抑えた靴篦とできる。
【図面の簡単な説明】
【００１５】
【図１Ａ】本考案の一実施形態にかかる靴篦の斜視図１
【図１Ｂ】本考案の一実施形態にかかる靴篦の斜視図２
【図２Ａ】本考案の一実施形態にかかる靴篦の正面図
【図２Ｂ】本考案の一実施形態にかかる靴篦の底面図
【図２Ｃ】本考案の一実施形態にかかる靴篦の右側面図
【図２Ｄ】本考案の一実施形態にかかる靴篦の断面図１
【図２Ｅ】本考案の一実施形態にかかる靴篦の断面図２
【図３Ａ】本考案の一実施形態にかかる靴篦の靴篦部の使用状態を示す説明図
【図３Ｂ】本考案の一実施形態にかかる靴篦の肩叩き部の使用状態を示す説明図
【図３Ｃ】本考案の一実施形態にかかる靴篦の孫の手部の使用状態を示す説明図
【考案を実施するための形態】
【００１６】
以下、本考案にかかる一実施形態を図面に基づき説明するが、本考案は下記実施形態に限定されるものではない。特に、靴篦の寸法や素材については、下記実施形態に限定されない。
【００１７】
＜靴篦１の全体構造＞
図１Ａおよび図１Ｂは、本考案の一実施形態にかかる靴篦１の斜視図である。図２Ａは靴底１の正面図である。図２Ｂは靴篦１の底面図である。図２Ｃは靴篦１の右側面図である。図２Ｄは靴篦１のＸＸ線断面図である。図２Ｅは靴篦１のＹＹ線断面図である。
【００１８】
図１Ａ、Ｂに示すように、本実施形態の靴篦１は、全体が幅方向に湾曲した細長い扁平棒状に構成している。また、図２Ａ、Ｂに示すように、靴篦１は、長手方向に沿って靴篦部１０と肩叩き部２０と孫の手部３０と、靴篦部１０と肩叩き部２０を連結する第１連結部４０と、肩叩き部２０と孫の手部３０を連結する第２連結部５０と、を備える。
【００１９】
本実施形態の靴篦１は、一例として竹で形成されている。靴篦１の製造は、一例として竹の節部を２箇所残すように軸方向に沿って円周の一部を切り出し、その一方端部を折曲し、必要箇所を削りだして行う。なお、削りだしは、主として靴篦部１０、孫の手部３０、第１連結部４０、第２連結部５０に該当する部分に行い、最後に角ができないよう全体を削る。また、第１連結部４０と第２連結部５０は、それぞれ竹の節部にくるように配置する。
【００２０】
＜靴篦部１０の構造＞
図２Ａ、Ｂ、Ｃに示すように、靴篦部１０は、幅方向に湾曲した細長い扁平棒状である。靴篦部１０は、第１連結部４０から延在し、先端に向けて厚みが薄くなっていて、靴篦部１０の最先端が、平面視において弧状に丸みを帯びている（図２Ａ参照）。
【００２１】
＜肩叩き部２０の構造＞
図２Ａ、Ｂ、Ｄに示すように、肩叩き部２０は、幅方向に湾曲した細長い扁平棒状であり、その幅は略一様である。また、肩叩き部２０は、第１連結部４０から第２連結部５０にかけて延在し、その厚みは略一様である。また、肩叩き部２０の厚みは、靴篦部１０および孫の手部３０の厚みよりも厚く構成されていて、肩叩き部２０の重さも、靴篦部１０および孫の手部３０よりも重くなっている。その重みによって、肩叩き部２０を使用する際に、効率良く効果的に肩叩きができる。
【００２２】
また、靴篦１を幅方向に湾曲した側と反対側の面を下向き（図２Ｂの向き）にして床に置けば、肩叩き部２０を竹踏みとして使用することもできる。
【００２３】
＜孫の手部３０の構造＞
図２Ａ、Ｂに示すように、孫の手部３０は、第２連結部５０から延在していて、先端部３０ａと、柄部３０ｂとを有する。また、図２Ｂに示すように、孫の手部３０の先端部３０ａは、図２Ｂにおける上方に向けて折曲され、その最先端は柄部３０ｂよりも厚みが薄く、略直線状に構成されている（図２Ｃ参照）。また、図２Ｅに示すように、孫の手部３０は、靴篦部１０および肩叩き部２０よりも、幅方向の湾曲が小さく構成されている。なお、孫の手部３０の幅方向の湾曲は、靴篦部１０および肩叩き部２０と同程度でもよいし、幅方向の湾曲がない扁平状でもよい。
【００２４】
＜第１連結部４０、第２連結部５０の構造＞
第１連結部４０および第２連結部５０は、幅方向の両側が弧状に切り欠かれて形成されており、靴篦１を握りやすくなっている。これにより、靴篦部１０や孫の手部３０を使用する際に使い勝手がよい。なお、図３Ａ、Ｂ、Ｃに、靴篦部１０の使用例、肩叩き部２０の使用例、孫の手部３０の使用例を示す。また、図３Ｂの肩叩き部２０の使用例は、孫の手部３０の先端部辺りを握って使用する例であるが、靴篦部１０や第１連結部４０、第２連結部５０を握って使用してもよい。
【００２５】
＜本実施形態の効果＞
上記した本実施形態の靴篦によれば、靴篦部と孫の手部と肩叩き部とが一体に形成されているので、これらの機能を兼ね備え、また十分な強度を有し、またコストを比較的抑えた靴篦となる。また、第１連結部および第２連結部が、幅方向の両側が弧状に切り欠かれているので、使用時に握りやすく、使い勝手がよい。
【００２６】
また、本実施形態の靴篦は、竹の切り出しによって成形しているので、靴篦部に適した湾曲形状や肩叩き部に適した湾曲形状が、竹の元々ある弧状の周面を利用することができる。これにより、靴篦の強度が高く、靴篦の成形が容易でコストも抑えることができる。
【００２７】
また、肩叩き部の厚みが、靴篦部および孫の手部よりも厚く形成されているので、肩叩き部が、靴篦部および孫の手部よりも重くなる。これにより、肩叩きがしやすく、効果的である。また、靴篦を地面に置いて、肩叩き部を竹踏みとして使用することもできる。
【００２８】
＜その他の実施形態＞
以上のとおり、図面を参照しながら本考案の実施形態を説明したが、本考案の趣旨を逸脱しない範囲内で、種々の追加、変更または削除が可能である。例えば、本実施形態の靴篦は、第１連結部および第２連結部は、両側が切り欠かれた形状であるが、第１連結部または第２連結部のいずれか一方のみが切り欠かれた形状でもよい。また、本実施形態の靴篦は、靴篦部と肩叩き部と孫の手部とが略直線状に構成されているが、例えば孫の手部が少し反った形状としてもよい。したがって、そのようなものも本考案の範囲内に含まれる。
【符号の説明】
【００２９】
１  靴篦
１０  靴篦部
２０  肩叩き部
３０  孫の手部
３０ａ  先端部
３０ｂ  柄部
４０  第１連結部
５０  第２連結部
【図１Ａ】
0003189480.tif 000003
【図１Ｂ】
0003189480.tif 000004
【図２Ａ】
0003189480.tif 000005
【図２Ｂ】
0003189480.tif 000006
【図２Ｃ】
0003189480.tif 000007
【図２Ｄ】
0003189480.tif 000008
【図２Ｅ】
0003189480.tif 000009
【図３Ａ】
0003189480.tif 000010
【図３Ｂ】
0003189480.tif 000011
【図３Ｃ】
0003189480.tif 000012